(57)【特許請求の範囲】
【請求項１】
プライマリ基地局によって、無線アクセス・ベアラ・ハンドオーバ・メッセージをセカンダリ基地局に送信して、無線アクセス・ベアラの一部をターゲット基地局にハンドオーバするように前記セカンダリ基地局に指示するか、または、ハンドオーバ・コマンドをセカンダリ基地局に送信して、全ての無線アクセス・ベアラをターゲット基地局にハンドオーバするように前記セカンダリ基地局に指示するステップであって、前記無線アクセス・ベアラ・ハンドオーバ・メッセージは前記無線アクセス・ベアラの一部の識別子を含むステップと、
前記プライマリ基地局によって、前記セカンダリ基地局から、メッセージを受信するステップであって、前記メッセージは、データを前記ターゲット基地局から取得するようにユーザ機器に指示するように前記プライマリ基地局に指示するために使用されるステップと、
前記プライマリ基地局によって、前記受信したメッセージにしたがって、前記データを前記ターゲット基地局から取得するように前記ユーザ機器に指示するステップと、
を含む、データ転送方法。
【請求項２】
前記セカンダリ基地局の信号品質が事前設定閾値より小さいことを前記プライマリ基地局が確認したとき、
前記プライマリ基地局が前記セカンダリ基地局によって送信された無線アクセス・ベアラ・ハンドオーバ要求を受信したとき、または
前記ユーザ機器と前記セカンダリ基地局の間の無線リンク接続が失敗したことを前記プライマリ基地局が確認したとき、
のうち何れか１つの場合に、前記プライマリ基地局が前記無線アクセス・ベアラ・ハンドオーバ・メッセージまたは前記ハンドオーバ・コマンドを前記セカンダリ基地局に送信する、
請求項１に記載の方法。
【請求項３】
前記セカンダリ基地局が前記データを前記ターゲット基地局に転送したことを前記プライマリ基地局が確認する、請求項１または２に記載の方法。
【請求項４】
セカンダリ基地局によって、無線アクセス・ベアラ・ハンドオーバ・メッセージをプライマリ基地局から受信して、無線アクセス・ベアラの一部をターゲット基地局にハンドオーバするように前記セカンダリ基地局に指示するか、または、ハンドオーバ・コマンドをプライマリ基地局から受信して、全ての無線アクセス・ベアラをターゲット基地局にハンドオーバするように前記セカンダリ基地局に指示するステップであって、前記無線アクセス・ベアラ・ハンドオーバ・メッセージは前記無線アクセス・ベアラの一部の識別子を含むステップと、
前記セカンダリ基地局によって、メッセージを前記プライマリ基地局に送信するステップであって、前記メッセージは、データを前記ターゲット基地局から取得するようにユーザ機器に指示するように前記プライマリ基地局に指示するために使用されるステップと、
を含む、データ転送方法。
【請求項５】
前記セカンダリ基地局の信号品質が事前設定閾値より小さいことを前記プライマリ基地局が確認したとき、
前記プライマリ基地局が前記セカンダリ基地局によって送信された無線アクセス・ベアラ・ハンドオーバ要求を受信したとき、または
前記ユーザ機器と前記セカンダリ基地局の間の無線リンク接続が失敗したことを前記プライマリ基地局が確認したとき、
のうち何れか１つの場合に、前記セカンダリ基地局が前記無線アクセス・ベアラ・ハンドオーバ・メッセージまたは前記ハンドオーバ・コマンドを前記プライマリ基地局から受信する、
請求項４に記載の方法。
【請求項６】
無線アクセス・ベアラ・ハンドオーバ・メッセージをセカンダリ基地局に送信して、無線アクセス・ベアラの一部をターゲット基地局にハンドオーバするように前記セカンダリ基地局に指示するか、または、ハンドオーバ・コマンドをセカンダリ基地局に送信して、全ての無線アクセス・ベアラをターゲット基地局にハンドオーバするように前記セカンダリ基地局に指示するように構成されたモジュールであって、前記無線アクセス・ベアラ・ハンドオーバ・メッセージは前記無線アクセス・ベアラの一部の識別子を含む、モジュールと、
前記セカンダリ基地局からメッセージを受信するように構成されたモジュールであって、記メッセージは、データを前記ターゲット基地局から取得するようにユーザ機器に指示するように前記プライマリ基地局に指示するために使用される、モジュールと、
前記受信したメッセージにしたがって、前記データを前記ターゲット基地局から取得するように前記ユーザ機器に指示するように構成されたモジュールと、
を備える、基地局。
【請求項７】
前記モジュールは、
前記セカンダリ基地局の信号品質が事前設定閾値より小さいことを前記基地局が確認したとき、
前記基地局が前記セカンダリ基地局によって送信された無線アクセス・ベアラ・ハンドオーバ要求を受信したとき、または
前記ユーザ機器と前記セカンダリ基地局の間の無線リンク接続が失敗したことを前記基地局が確認したとき、
のうち何れか１つの場合に、前記無線アクセス・ベアラ・ハンドオーバ・メッセージまたは前記ハンドオーバ・コマンドを前記セカンダリ基地局に送信するように構成された、請求項６に記載された基地局。
【請求項８】
前記基地局はさらに、前記セカンダリ基地局が前記データを前記ターゲット基地局に転送したことを確認するように構成されたモジュールを備える、請求項６に記載された基地局。
【請求項９】
基地局であって、
無線アクセス・ベアラ・ハンドオーバ・メッセージをプライマリ基地局から受信して、無線アクセス・ベアラの一部をターゲット基地局にハンドオーバするように前記基地局に指示するか、または、ハンドオーバ・コマンドをプライマリ基地局から受信して、全ての無線アクセス・ベアラをターゲット基地局にハンドオーバするように前記基地局に指示するように構成されたモジュールであって、前記無線アクセス・ベアラ・ハンドオーバ・メッセージは前記無線アクセス・ベアラの一部の識別子を含むモジュールと、
メッセージを前記プライマリ基地局に送信するように構成されたモジュールであって、前記メッセージは、データを前記ターゲット基地局から取得するようにユーザ機器に指示するように前記プライマリ基地局に指示するために使用される、モジュールと、
を備える、基地局。
【請求項１０】
前記モジュールは、
前記基地局の信号品質が事前設定閾値より小さいことを前記プライマリ基地局が確認したとき、
前記プライマリ基地局が前記基地局によって送信された無線アクセス・ベアラ・ハンドオーバ要求を受信したとき、または、
前記ユーザ機器と前記基地局の間の無線リンク接続が失敗したことを前記プライマリ基地局が確認したとき、
のうち何れか１つの場合に、前記無線アクセス・ベアラ・ハンドオーバ・メッセージまたは前記ハンドオーバ・コマンドを前記プライマリ基地局から受信するように構成された、
請求項９に記載の基地局。
【発明の詳細な説明】
【技術分野】
【０００１】
関連出願の記載
本願は、発明の名称を「データ転送方法、装置、および通信システム」とした、中国国家知識産権局に２０１２年５月１８日に出願された中国特許出願第ＣＮ２０１２１０１５５１７２．７号に対する優先権を主張し、その全体を引用により本明細書に取り込む。
【０００２】
本発明は、通信の分野に関し、特に、データ転送方法、装置、および通信システムに関する。
【背景技術】
【０００３】
モバイル通信システムの発展とともに、通信システムが提供する高品質なサービスが実現されている。３ＧＰＰ（第三世代パートナシップ・プロジェクト、３ｒｄ  Ｇｅｎｅｒａｔｉｏｎ  Ｐａｒｔｎｅｒｓｈｉｐ  Ｐｒｏｊｅｃｔ）の長期的な競争力ある利点を維持するために、ＬＴＥ（ロング・ターム・エボリューション、Ｌｏｎｇ  Ｔｅｒｍ  Ｅｖｏｌｕｔｉｏｎ）のさらなる発展型であるＬＴＥ−Ａ（ＬＴＥアドバンスト、Ｌｏｎｇ  Ｔｅｒｍ  Ｅｖｏｌｕｔｉｏｎ  Ａｄｖａｎｃｅｄ）に関する標準作成作業が進行中である。ユーザの通信システムおよびデータ・スループットのスペクトル効率をさらに高めるために、キャリア集約（ＣＡ、ｃａｒｒｉｅｒ  ａｇｇｒｅｇａｔｉｏｎ）技術がＬＴＥ−Ａに導入されている。キャリア集約とは、高速データ送信を実現するために、複数のコンポーネント・キャリア（ＣＣ、ｃｏｍｐｏｎｅｎｔ  ｃａｒｒｉｅｒ）を同時に用いることによってユーザ機器（Ｕｓｅｒ  Ｅｑｕｉｐｍｅｎｔ、ＵＥ）がアップリンクとダウンリンク通信を実施できることを意味する。
【０００４】
ＬＴＥシステムのキャリア集約は大まかに、基地局内部のセルに対するキャリア集約と基地局間のセルに対するキャリア集約に分割できる。基地局内部のセルに対するキャリア集約は１つの基地局によってのみ制御され、したがって比較的実装が容易である。基地局間のセルに対するキャリア集約をさらに、マクロ基地局の間のセルに対するキャリア集約と、マクロ基地局とホーム基地局の間のセルに対するキャリア集約に分割できる。マクロ基地局の間のセルに対するキャリア集約により、基地局のエッジ領域におけるユーザのデータ・スループットを高めて、ユーザの認識を高めることができる。ユーザのデータ・スループットを高めることに加えて、マクロ基地局とホーム基地局の間のセルに対するキャリア集約ではさらに、マクロ・ネットワークからのシステム・トラフィックを解放することができ、ホーム基地局のみを有するネットワークと比べて、ハンドオーバの発生をさらに減らすことができる。
【発明の概要】
【発明が解決しようとする課題】
【０００５】
基地局間のセルに対するキャリア集約を用いることによって行われる高速データ送信の間に、データを運搬する基地局にハンドオーバが発生すると、キャリア集約に基づく既存のデータ送信方法ではデータ送信の正確性と連続性を実現するのは困難であり、これにより、ハンドオーバが発生したときにデータ損失が生じ、ユーザの認識が低下する。
【課題を解決するための手段】
【０００６】
本発明は、データ転送方法、装置、および通信システムを提供する。これらにより、基地局間のセルに対するキャリア集約におけるデータ送信の正確性と連続性を実現することができる。
【０００７】
上の目的を達成するために、本発明の諸実施形態では以下の技術的解決策を使用する。
【０００８】
本発明の１態様によれば、プライマリ基地局によって、第１のメッセージをセカンダリ基地局に送信するステップであって、当該第１のメッセージは、ハンドオーバを実施するようにセカンダリ基地局に指示するために使用され、当該第１のメッセージはターゲット基地局の識別子を含むステップと、プライマリ基地局によって、セカンダリ基地局がデータをターゲット基地局に転送したことを確認するステップと、プライマリ基地局によって、第２のメッセージをユーザ機器に送信するステップであって、当該第２のメッセージは、ターゲット基地局からデータを取得するようにユーザ機器に指示するために使用されるステップとを含む、プライマリ基地局に関連するデータ転送方法を提供する。
【０００９】
本発明の別の態様によれば、セカンダリ基地局によって、プライマリ基地局によって送信された第１のメッセージを受信するステップであって、当該第１のメッセージは、ハンドオーバを実施するようにセカンダリ基地局に指示するために使用され、当該第１のメッセージはターゲット基地局の識別子を含むステップと、セカンダリ基地局によって、ターゲット基地局によって送信されたデータ転送確認メッセージを受信するステップであって、当該データ転送確認メッセージは、セカンダリ基地局がデータをターゲット基地局に転送したことを確認するために使用されるステップと、セカンダリ基地局によって、第２のメッセージをプライマリ基地局に送信するステップであって、当該第２のメッセージは、ターゲット基地局からデータを取得するようにユーザ機器に指示するためにプライマリ基地局によって使用されるステップとを含む、セカンダリ基地局に関連するデータ転送方法を提供する。
【００１０】
本発明の別の態様によれば、第１のメッセージをセカンダリ基地局に送信するように構成された送信器であって、当該第１のメッセージは、ハンドオーバを実施するようにセカンダリ基地局に指示するために使用され、当該第１のメッセージはターゲット基地局の識別子を含む送信器と、セカンダリ基地局がデータをターゲット基地局に転送したことを確認するように構成されたプロセッサと、を備えた基地局を提供する。当該送信器さらに、第２のメッセージをユーザ機器に送信するように構成され、当該第２のメッセージは、ターゲット基地局からデータを取得するようにユーザ機器に指示するために使用される。
【００１１】
本発明の別の態様によれば、プライマリ基地局によって送信された第１のメッセージを受信するように構成された受信器であって、当該第１のメッセージはハンドオーバを実施するように基地局に指示するために使用され、当該第１のメッセージはターゲット基地局の識別子を含む受信器と、第２のメッセージをプライマリ基地局に送信するように構成された送信器であって、当該第２のメッセージは、ターゲット基地局からデータを取得するようにユーザ機器に指示するためにプライマリ基地局によって使用される送信器と、を備えた基地局を提供する。当該受信器さらに、ターゲット基地局によって送信されたデータ転送確認メッセージを受信するように構成され、当該データ転送確認メッセージは当該基地局がデータをターゲット基地局に転送したことを確認するために使用される。
【００１２】
本発明のさらに別の態様によれば、上述の基地局のうち何れか１つを含む通信システムを提供する。
【００１３】
本発明の諸実施形態で提供するデータ転送方法、装置、およびシステムでは、プライマリ基地局が、セカンダリ基地局にハンドオーバを実施するように指示するための第１のメッセージをセカンダリ基地局に送信する。当該第１のメッセージはターゲット基地局の識別子を運搬する。プライマリ基地局は、セカンダリ基地局がデータをターゲット基地局に転送したことを確認し、第２のメッセージをユーザ機器に送信して、ターゲット基地局からデータを取得することをユーザ機器に指示する。かかるデータ転送方法を使用することにより、基地局の間のシームレスなハンドオーバを基地局間のセルに対するキャリア集約の場合に実施することができる。、これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【００１４】
本発明の諸実施形態の技術的解決策または先行技術をより分かりやすく説明するため、以下では当該諸実施形態または先行技術を説明するのに必要な添付図面を簡単に説明する。明らかに、以下の説明における添付図面は本発明の諸実施形態の一部を説明するにすぎず、当業者は創造的作業なしにこれらの添付図面から他の図面を導出することができる。
【図面の簡単な説明】
【００１５】
【図１】本発明の１実施形態に従うデータ転送方法の略流れ図である。
【図２】本発明の１実施形態に従うデータ転送方法の略流れ図である。
【図３】別の本発明の１実施形態に従うデータ転送方法の略流れ図である。
【図４】別の本発明の１実施形態に従うデータ転送方法の略流れ図である。
【図５】本発明の１実施形態に従うデータ転送方法の略シグナリング流れ図である。
【図６】データ転送方法本発明の１実施形態に従うユーザ機器の内部動作の略流れ図である。
【図７】本発明の１実施形態に従う別のデータ転送方法の略シグナリング流れ図である。
【図８】本発明の１実施形態に従う別のデータ転送方法の略シグナリング流れ図である。
【図９】本発明の１実施形態に従う別のデータ転送方法の略シグナリング流れ図である。
【図１０】本発明の１実施形態に従う別のデータ転送方法の略シグナリング流れ図である。
【図１１】本発明の１実施形態に従う基地局の略構造図である。
【図１２】本発明の１実施形態に従う別の基地局の略構造図である。
【図１３】本発明の１実施形態に従う別の基地局の略構造図である。
【図１４】本発明の１実施形態に従う別の基地局の略構造図である。
【図１５】本発明の１実施形態に従う別の基地局の略構造図である。
【図１６】本発明の１実施形態に従うユーザ機器の略構造図である。
【発明を実施するための形態】
【００１６】
以下では本発明の諸実施形態の添付図面を参照して本発明の技術的解決策を明確かつ十分に説明する。明らかに、説明する諸実施形態は本発明の諸実施形態の一部にすぎず全部ではない。創造的作業なしに本発明の諸実施形態に基づいて当業者が得た他の全ての実施形態は本発明の保護範囲に入る。
【００１７】
本明細書では、端末および／または基地局を参照して様々な態様を説明する。
【００１８】
端末とは、ユーザに音声および／またはデータ接続を提供する装置をいい、無線端末または有線端末が含まれる。無線端末は、無線接続機能を有するハンドヘルド装置または無線モデムに接続された別の処理装置であってもよく、無線アクセス・ネットワークを用いることによって１つまたは複数のコア・ネットワークと通信するモバイル端末であってもよい。例えば、無線端末が移動電話（「携帯」電話とも呼ばれる）およびモバイル端末を有するコンピュータであってもよい。別の例として、無線端末が、ポータブルの、ポケットサイズの、ハンドヘルドの、コンピュータ組込み型の、または車載型のモバイル機器であってもよい。さらに別の例として、無線端末が、移動局（英語ではｍｏｂｉｌｅ  ｓｔａｔｉｏｎ）、アクセス・ポイント（英語ではａｃｃｅｓｓ  ｐｏｉｎｔ）、ユーザ機器（英語ではＵｓｅｒ  Ｅｑｕｉｐｍｅｎｔ、略してＵＥ）、等であってもよい。
【００１９】
基地局は、１つまたは複数のセルを用いることによってアクセス・ネットワーク内でエア・インタフェースを介して無線端末と通信する装置であってもよい。例えば、当該基地局がＧＳＭ（登録商標）またはＣＤＭＡにおける基地局（英語ではｂａｓｅ  ｔｒａｎｓｃｅｉｖｅｒ  ｓｔａｔｉｏｎ、ＢＴＳ略して）であってもよく、ＷＣＤＭＡ（登録商標）における基地局（ＮｏｄｅＢ）であってもよく、ＬＴＥにおける発展型ＮｏｄｅＢ（略してｅＮＢまたはｅ−ＮｏｄｅＢ）または将来の発展型ネットワークにおける基地局であってもよく、本発明では限定されない。
【００２０】
本発明の諸実施形態では、プライマリ基地局はデータ転送プロセスを制御するように構成された制御基地局であり、セカンダリ基地局とはユーザのデータ・トラフィックを増大させるかまたは干渉を減らすためにユーザ機器のアクセスにより必要とされるデータ・リソースの一部を共有するように構成された基地局をいい。ターゲット基地局とは、ハンドオーバが生じた後にユーザ機器のアクセスにより必要とされるデータ・リソースを共有するように構成された基地局をいう。可動性管理エンティティ（ｍｏｂｉｌｉｔｙ  ｍａｎａｇｅｍｅｎｔ  ｅｎｔｉｔｙ、略してＭＭＥ）は、３ＧＰＰプロトコルにおけるＬＴＥアクセス・ネットワークの制御ノードであり、主に、アイドル・モードでのユーザ機器の位置決め、ページング・プロセスと中継の役割を担う。
【００２１】
本発明の１実施形態で提供するデータ転送方法はプライマリ基地局に関する。図１に示すように、当該方法は以下を含む。
【００２２】
Ｓ１０１では、プライマリ基地局が第１のメッセージをセカンダリ基地局に送信する。当該第１のメッセージは、ハンドオーバを実施するようにセカンダリ基地局に指示するために使用され、当該第１のメッセージはターゲット基地局の識別子を含む。Ｓ１０２では、プライマリ基地局がセカンダリ基地局がデータをターゲット基地局に転送したことを確認する。Ｓ１０３では、プライマリ基地局が第２のメッセージをユーザ機器に送信する。当該第２のメッセージは、ターゲット基地局からデータを取得するようにユーザ機器に指示するために使用される。
【００２３】
本発明の当該実施形態で提供するデータ転送方法では、プライマリ基地局とターゲット基地局が同一の基地局であってもよいことに留意されたい。
【００２４】
当該実施形態では、複数の基地局がデータを１つのユーザ端末に同時に送信するとき、例えば、基地局間のセルに対するキャリア集約の間に、データ送信の正確性と連続性を実現することができる。
【００２５】
上述のデータ転送方法を用いることによって、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【００２６】
別の態様によれば、本発明の１実施形態で提供するデータ転送方法はセカンダリ基地局に関する。図２に示すように、当該方法は以下を含む。
【００２７】
Ｓ２０１では、セカンダリ基地局が、プライマリ基地局によって送信された第１のメッセージを受信する。当該第１のメッセージは、ハンドオーバを実施するようにセカンダリ基地局に指示するために使用され、当該第１のメッセージはターゲット基地局の識別子を含む。
【００２８】
Ｓ２０２では、セカンダリ基地局が、ターゲット基地局によって送信されたデータ転送確認メッセージを受信する。当該データ転送確認メッセージは、セカンダリ基地局がデータをターゲット基地局に転送したことを確認するために使用される。
【００２９】
Ｓ２０３では、セカンダリ基地局が第２のメッセージをプライマリ基地局に送信する。当該第２のメッセージは、ターゲット基地局からデータを取得するようにユーザ機器に指示するためにプライマリ基地局によって使用される。
【００３０】
上述のデータ転送方法を用いることによって、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【００３１】
別の態様によれば、本発明の１実施形態で提供するデータ転送方法はターゲット基地局に関する。図３に示すように、当該方法は以下を含む。
【００３２】
Ｓ３０１では、ターゲット基地局が、プライマリ基地局またはセカンダリ基地局によって送信されたデータ・パケットのシーケンス番号ＳＮ（ｓｅｑｕｅｎｃｅ  ｎｕｍｂｅｒ）ステータス転送情報を受信する。Ｓ３０２では、ターゲット基地局が、経路切替要求を可動性管理エンティティＭＭＥに送信する。Ｓ３０３では、ターゲット基地局が、当該ＭＭＥが送信した経路切替確認情報を受信し、データ転送を完了する。
【００３３】
上述のデータ転送方法を用いることによって、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【００３４】
別の態様によれば、本発明の１実施形態で提供するデータ転送方法はさらにユーザ機器に関する。図４に示すように、当該方法は以下を含む。
【００３５】
Ｓ４０１では、ユーザ機器がプライマリ基地局によって送信された第２のメッセージを受信する。当該第２のメッセージは、ターゲット基地局からデータを取得するようにユーザ機器に指示するために使用される。Ｓ４０２では、ユーザ機器が、当該第２のメッセージに従ってユーザ機器において、ターゲット基地局のプロトコル・エンティティに対応するプロトコル・エンティティを確立する。Ｓ４０３では、ユーザ機器が、セカンダリ基地局のプロトコル・エンティティに一時的に格納されたデータをターゲット基地局の当該プロトコル・エンティティに転送する。
【００３６】
上述のデータ転送方法を用いることによって、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【００３７】
図５に示すように、本発明の１実施形態ではさらに、以下を含む上述のデータ転送方法実施形態の具体的な説明を提供する。
【００３８】
Ｓ５０１では、プライマリ基地局が第１のメッセージをセカンダリ基地局に送信する。当該第１のメッセージは、ハンドオーバを実施するようにセカンダリ基地局に指示するために使用され、当該第１のメッセージはターゲット基地局の識別子を含む。
【００３９】
例えば、以下の何れか１つの場合に、セカンダリ基地局がハンドオーバを実施する必要があるとプライマリ基地局が判定し、プライマリ基地局が当該第１のメッセージをセカンダリ基地局に送信する。
【００４０】
セカンダリ基地局の信号品質が事前設定閾値より小さいことをプライマリ基地局が確認したとき、プライマリ基地局が当該第１のメッセージをセカンダリ基地局に送信する。例えば、ユーザ機器によって報告されたセカンダリ基地局のＲＳＲＰ（ｒｅｆｅｒｅｎｃｅ  ｓｉｇｎａｌ  ｒｅｃｅｉｖｅｄ  ｐｏｗｅｒ）が当該事前設定閾値より小さいとき、セカンダリ基地局がハンドオーバを実施する必要があるとプライマリ基地局が判定してもよく、プライマリ基地局が当該第１のメッセージをセカンダリ基地局に送信する。
【００４１】
あるいは、プライマリ基地局がセカンダリ基地局によって送信された無線アクセス・ベアラ・ハンドオーバ要求を受信したとき、プライマリ基地局が当該第１のメッセージをセカンダリ基地局に送信する。例えば、セカンダリ基地局が過負荷であるとセカンダリ基地局が検出したとき、セカンダリ基地局がハンドオーバを実施する必要があるとプライマリ基地局が判定し、プライマリ基地局が当該第１のメッセージをセカンダリ基地局に送信するように、セカンダリ基地局が、主導権をとってハンドオーバ要求をプライマリ基地局に送信してもよい。
【００４２】
あるいは、ユーザ機器とセカンダリ基地局の間の無線リンク接続が失敗したことをプライマリ基地局が確認したとき、プライマリ基地局が当該第１のメッセージをセカンダリ基地局に送信する。例えば、ユーザ機器が報告したセカンダリ基地局無線リンク障害指示をプライマリ基地局が受信したとき、および、別の例として、プライマリ基地局がセカンダリ基地局によって送信された無線リンク障害指示を受信したとき、セカンダリ基地局がハンドオーバを実施する必要があるとプライマリ基地局が判定してもよく、プライマリ基地局が当該第１のメッセージをセカンダリ基地局に送信する。
【００４３】
さらに、プライマリ基地局によって、第１のメッセージをセカンダリ基地局に送信するステップは、プライマリ基地局によって、セカンダリ基地局が無線アクセス・ベアラの一部でハンドオーバを実施したと判定し、セカンダリ基地局が当該無線アクセス・ベアラの一部をターゲット基地局にハンドオーバするように、無線アクセス・ベアラ・ハンドオーバメッセージをセカンダリ基地局に送信するステップであって、当該無線アクセス・ベアラ・ハンドオーバ・メッセージは当該無線アクセス・ベアラの一部の識別子を含むステップ、または、プライマリ基地局によって、セカンダリ基地局が全ての無線アクセス・ベアラでハンドオーバを実施したと判定し、セカンダリ基地局が当該無線アクセス・ベアラの全てをターゲット基地局にハンドオーバするように、セカンダリ基地局ハンドオーバ・コマンドをセカンダリ基地局に送信するステップを含む。当該無線アクセス・ベアラ・ハンドオーバ・メッセージがさらにターゲット基地局の識別子を含んでもよく、当該識別子は基地局ＩＤ（アイデンティティ、  ｉｄｅｎｔｉｔｙ）、グローバル基地局ＩＤ、セルＩＤ、またはグローバルセルＩＤを含んでもよい。例えば、セカンダリ基地局上の当該無線アクセス・ベアラの全てをターゲット基地局にハンドオーバするとプライマリ基地局が判定した場合には、当該無線アクセス・ベアラ・ハンドオーバ・メッセージをセカンダリ基地局ハンドオーバ・コマンドで置き換えてもよく、基地局ハンドオーバ・コマンドを受信したとき、セカンダリ基地局は、当該無線アクセス・ベアラの全てをハンドオーバする必要があると考える。
【００４４】
本発明の当該実施形態では、ターゲット基地局とプライマリ基地局が同一の基地局であってもよい。
【００４５】
Ｓ５０２では、セカンダリ基地局がアップリンク・データとダウンリンク・データの送信を停止する。
【００４６】
例えば、セカンダリ基地局がプライマリ基地局によって送信された当該第１のメッセージを受信した後に、セカンダリ基地局が、一時的に格納されたアップリンク・データおよびダウンリンク・データを有するかまたはユーザ機器によって認証されていないアップリンク・データおよびダウンリンク・データを有するとセカンダリ基地局が判定したときに、アップリンク・データとダウンリンク・データの送信が即座に停止する。
【００４７】
Ｓ５０３では、セカンダリ基地局がデータ転送要求メッセージをプライマリ基地局に送信する。当該データ転送要求メッセージはプライマリ基地局にデータ転送を要求するために使用され、当該データ転送要求メッセージは、ダウンリンク転送を実施するようにプライマリ基地局に指示する情報および／またはセカンダリ基地局のアップリンク汎用パケット無線サービス・トンネリング・プロトコル（ｇｅｎｅｒａｌ  ｐａｃｋｅｔ  ｒａｄｉｏ  ｓｅｒｖｉｃｅ  Ｔｕｎｎｅｌｉｎｇ  Ｐｒｏｔｏｃｏｌ）ＧＴＰエンドポイント情報を含む。
【００４８】
例えば、セカンダリ基地局がプライマリ基地局によるダウンリンクデータの転送を提案すると決定した場合には、提案されたダウンリンク・データの転送の命令をダウンリンクデータに対して含める。プライマリ基地局がアップリンクデータの転送を提案すると決定した場合には、アップリンクＧＴＰエンドポイントがプライマリ基地局に送信される。場合によっては、同一の構成を使用し続けるかどうかをプライマリ基地局が判定するように、セカンダリ基地局がプライマリ基地局へのメッセージに構成情報を追加してもよい。当該構成情報がベアラのＭＡＣ（ｍｅｄｉｕｍ  ａｃｃｅｓｓ  ｃｏｎｔｒｏｌ、媒体アクセス制御）構成パラメータ、ＲＬＣ（ｒａｄｉｏ  ｌｉｎｋ  ｃｏｎｔｒｏｌ、無線リンク制御）構成パラメータ等を含んでもよい。例えば、ベアラのＭＡＣ構成パラメータが変化しないときには、プライマリ基地局が当該構成を用いることによってデータを運搬し続けてもよい。
【００４９】
Ｓ５０４では、セカンダリ基地局が、プライマリ基地局によって送信されたデータ転送確認メッセージを受信する。当該データ転送確認メッセージは、セカンダリ基地局がデータをプライマリ基地局に転送したことを確認するために使用される。
【００５０】
プライマリ基地局が、セカンダリ基地局がデータをプライマリ基地局自体に転送したことを確認する。
【００５１】
例えば、当該データ転送要求メッセージを受信した後、プライマリ基地局が、データ転送が許可されるかどうかを判定する。プライマリ基地局がデータ転送を許可する場合には、プライマリ基地局が当該データ転送確認メッセージをセカンダリ基地局に送信する。当該メッセージが、プライマリ基地局のＧＴＰエンドポイント情報を保持してもよい。
【００５２】
Ｓ５０５では、プライマリ基地局が、セカンダリ基地局によって送信されたデータ・パケットのＳＮステータス転送情報を受信する。
【００５３】
例えば、セカンダリ基地局がプライマリ基地局によって送信されたデータ転送確認メッセージを受信した後に、セカンダリ基地局が、データ・パケットのＳＮステータス転送情報で、ベアラがデータを転送するために使用されるシーケンス番号リストを示す。当該リストは、再送する必要がないアップリンクデータ・パケットをプライマリ基地局が前もってユーザ機器に通知することを支援し、または、無線インタフェースを用いることによって再送する必要があるダウンリンクパケットをプライマリ基地局が決定することを支援する。データ転送ＧＴＰトンネルがＧＴＰエンドポイント情報に従って確立され、セカンダリ基地局が、ユーザ機器によって確認されていない受信された順不同のアップリンクデータおよび／またはダウンリンクデータをプライマリ基地局に転送する。
【００５４】
Ｓ５０６では、プライマリ基地局が第２のメッセージをユーザ機器に送信する。当該第２のメッセージは、ターゲット基地局からデータを取得するようにユーザ機器に指示するために使用される。
【００５５】
具体的には、プライマリ基地局が当該第２のメッセージをユーザ機器に送信する。当該第２のメッセージは無線リソース制御接続再構成メッセージ（ＲＲＣ  Ｃｏｎｎｅｃｔｉｏｎ  Ｒｅｃｏｎｆｉｇｕｒａｔｉｏｎ）であってもよく、当該第２のメッセージは、無線アクセス・ベアラを介してセカンダリ基地局からプライマリ基地局にハンドオーバする命令を含んでもよい。
【００５６】
Ｓ５０７では、プライマリ基地局が経路切替要求を可動性管理エンティティＭＭＥに送信する。
【００５７】
無線アクセス・ベアラ・ハンドオーバ命令をメッセージに追加してもよく、ＭＭＥが当該命令をシグナリング・ゲートウェイＳ−ＧＷ（サービング・ゲートウェイ）に転送する。当該命令を受信した後、ＭＭＥとＳ−ＧＷが対応する無線アクセス・ベアラに対してのみ経路切換えを実施し、他の無線アクセス・ベアラは影響を受けない。例えば、当該他の無線アクセス・ベアラはＭＭＥとプライマリ基地局の間のＳ１接続を解放しない。
【００５８】
Ｓ５０８では、プライマリ基地局が、当該ＭＭＥが送信した経路切替確認情報を受信し、データ転送を完了する。
【００５９】
Ｓ５０９では、セカンダリ基地局が保持データを解放するように、プライマリ基地局がハンドオーバ成功メッセージをセカンダリ基地局に送信する。
【００６０】
例えば、ハンドオーバ成功メッセージを受信した後、セカンダリ基地局がＲＬＣ、ＭＡＣ、またはＰＤＣＰ（Ｐａｃｋｅｔ  Ｄａｔａ  Ｃｏｎｖｅｒｇｅｎｃｅ  Ｐｒｏｔｏｃｏｌ）の構成を解放する。
【００６１】
当該実施形態では、ユーザ機器が当該第２のメッセージを受信した後の、具体的な内部動作を図６のように示すことができる。
【００６２】
Ｓ６０１では、ユーザ機器がプライマリ基地局によって送信された当該第２のメッセージを受信する。当該第２のメッセージは、ターゲット基地局からデータを取得するようにユーザ機器に指示するために使用される。
【００６３】
ユーザ機器のＲＲＣ（ｒａｄｉｏ  ｒｅｓｏｕｒｃｅ  ｃｏｎｔｒｏｌ、無線リソース制御）層がプライマリ基地局によって送信された第２のメッセージを受信する。当該第２のメッセージが無線リソース再構成メッセージであってもよく、ユーザ機器のＲＲＣ層が、当該無線リソース再構成メッセージに従って、無線リソースを運搬するためのプロトコル・エンティティを構成してもよい。
【００６４】
Ｓ６０２では、ユーザ機器が、当該第２のメッセージに従ってユーザ機器において、ターゲット基地局のプロトコル・エンティティに対応するプロトコル・エンティティを確立する。
【００６５】
Ｓ６０３では、ユーザ機器が、セカンダリ基地局のプロトコル・エンティティに一時的に格納されたデータをターゲット基地局のプロトコル・エンティティに転送する。
【００６６】
当該プロトコル・エンティティがＰＤＣＰプロトコル・エンティティ、ＲＬＣ（Ｒａｄｉｏ  Ｌｉｎｋ  Ｃｏｎｔｒｏｌ）プロトコル・エンティティ、またはＭＡＣ（Ｍｅｄｉｕｍ  Ａｃｃｅｓｓ  Ｃｏｎｔｒｏｌ、媒体アクセス制御）プロトコル・エンティティのうち少なくとも１つであってもよいことに留意されたい。
【００６７】
場合によっては、ユーザ機器の内部動作がさらに以下を備えてもよい。
【００６８】
Ｓ６０４ではユーザ機器がＲＲＣ接続再構成完了情報をプライマリ基地局に送信する。
【００６９】
上述のデータ転送方法を用いることによって、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【００７０】
図７に示すように、当該実施形態ではさらに以下を含む、上述の実施形態の具体的な説明を提供する。Ｓ７０１では、プライマリ基地局が第１のメッセージをセカンダリ基地局に送信する。当該第１のメッセージは、ハンドオーバを実施するようにセカンダリ基地局に指示するために使用され、当該第１のメッセージはターゲット基地局の識別子を含む。Ｓ７０２では、セカンダリ基地局がアップリンク・データとダウンリンク・データの送信を停止する。
【００７１】
上述のステップに関しては、上述の実施形態を参照することができ、詳細はここでは再び説明することはしない。
【００７２】
Ｓ７０３では、セカンダリ基地局がデータ転送要求メッセージをターゲット基地局に送信する。当該データ転送要求メッセージはターゲット基地局にデータ転送を要求するために使用され、当該データ転送要求メッセージは、ダウンリンク転送を実施するようにターゲット基地局に指示する情報および／またはセカンダリ基地局のアップリンク汎用パケット無線サービス・トンネリング・プロトコルＧＴＰエンドポイント情報を含む。
【００７３】
上述の実施形態と異なり、本発明の当該実施形態ではターゲット基地局とプライマリ基地局が同じ基地局でなくともよい。
【００７４】
Ｓ７０４では、セカンダリ基地局が、ターゲット基地局によって送信されたデータ転送確認メッセージを受信する。当該データ転送確認メッセージは、セカンダリ基地局がデータをターゲット基地局に転送したことを確認するために使用される。
【００７５】
プライマリ基地局が、セカンダリ基地局がデータをプライマリ基地局に転送したことを確認する。
【００７６】
例えば、データ転送要求メッセージを受信した後、ターゲット基地局が、データ転送が許可されるかどうかを判定する。ターゲット基地局がデータ転送を許可する場合には、ターゲット基地局が当該データ転送確認メッセージをセカンダリ基地局に送信する。当該メッセージが、ターゲット基地局のＧＴＰエンドポイント情報を保持してもよい。
【００７７】
Ｓ７０５では、ターゲット基地局がセカンダリ基地局によって送信されたデータ・パケットのＳＮステータス転送情報を受信する。
【００７８】
例えば、セカンダリ基地局がターゲット基地局によって送信されたデータ転送確認メッセージを受信した後、セカンダリ基地局は、データ・パケットのＳＮステータス転送情報で、ベアラがデータを転送するために使用されるシーケンス番号リストを示す。当該リストは、再送する必要がないアップリンクデータ・パケットをターゲット基地局がユーザ機器に前もって通知するのを支援し、または、無線インタフェースを用いることによって再送する必要がないダウンリンクパケットをターゲット基地局が決定するのを支援する。データ転送ＧＴＰトンネルはＧＴＰエンドポイント情報に従って確立され、セカンダリ基地局は、ユーザ機器によって確認されていない受信された順不同のアップリンクデータおよび／またはダウンリンクデータをターゲット基地局に転送する。
【００７９】
Ｓ７０６では、プライマリ基地局が第２のメッセージをユーザ機器に送信する。当該第２のメッセージは、ターゲット基地局からデータを取得するようにユーザ機器に指示するために使用される。
【００８０】
当該第２のメッセージがＲＲＣ接続再構成メッセージであってもよく、当該メッセージが無線アクセス・ベアラ・ハンドオーバ命令を保持してもよい。ユーザ機器が当該無線アクセス・ベアラ・ハンドオーバ命令を受信した後に実施される具体的な内部動作については上述の図６を参照してもよく、詳細はここでは再び説明することはしない。
【００８１】
Ｓ７０７では、ターゲット基地局が経路切替要求を可動性管理エンティティＭＭＥに送信する。
【００８２】
無線アクセス・ベアラ・ハンドオーバ命令をメッセージに追加してもよく、ＭＭＥが当該命令をＳ−ＧＷに転送する。当該命令を受信した後、ＭＭＥとＳ−ＧＷが対応する無線アクセス・ベアラに対してのみ経路切換えを実施し、他の無線アクセス・ベアラは影響を受けない。例えば、当該他の無線アクセス・ベアラはＭＭＥとプライマリ基地局の間のＳ１接続を解放しない。
【００８３】
Ｓ７０８では、ターゲット基地局が、当該ＭＭＥが送信した経路切替確認情報を受信し、データ転送を完了する。
【００８４】
Ｓ７０９では、セカンダリ基地局が保持データを解放するように、ターゲット基地局がハンドオーバ成功メッセージをセカンダリ基地局に送信する。
【００８５】
例えば、ハンドオーバ成功メッセージを受信した後、セカンダリ基地局がＲＬＣ、ＭＡＣ、またはＰＤＣＰの構成を解放する。
【００８６】
上述のデータ転送方法を用いることによって、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【００８７】
本発明の１実施形態で提供するデータ転送方法を図８に示す。当該実施形態では、プライマリ基地局が変更されており（プライマリ基地局がターゲット基地局にハンドオーバされている）、一方で、プライマリ基地局がセカンダリ基地局に変更を要求し、データ転送のアンカーがプライマリ基地局に置かれる。当該方法は、プライマリ基地局によって、ターゲット基地局にハンドオーバすることを決定するステップと、プライマリ基地局によって、要求メッセージをセカンダリ基地局に送信するステップであって、当該要求メッセージはデータ転送を実施するようにセカンダリ基地局に要求するために使用されるステップと、プライマリ基地局によって、セカンダリ基地局によって送信された確認メッセージを受信するステップであって、当該確認メッセージはダウンリンク・データ転送を実施するようにプライマリ基地局に指示する情報、およびアップリンク・データ転送を実施するためのセカンダリ基地局のアップリンク汎用パケット無線サービス・トンネリング・プロトコルＧＴＰエンドポイント情報のうち少なくとも１つを含むステップと、を含む。
【００８８】
当該方法がさらに以下を備えてもよい。
【００８９】
Ｓ８０１では、セカンダリ基地局をハンドオーバまたは停止する必要があると判定したとき、プライマリ基地局はデータ問合せコマンドをセカンダリ基地局に送信する。ハンドオーバの決定に影響を及ぼす因子は負荷、サービス、信号品質等である。
【００９０】
例えば、プライマリ基地局がセカンダリ基地局のハンドオーバまたは停止を決定した場合には、プライマリ基地局がデータ問合せコマンドをセカンダリ基地局に送信する。当該データ問合せコマンドは間接転送命令を含んでもよい。
【００９１】
Ｓ８０２では、当該データ問合せコマンドに従って、セカンダリ基地局を停止する必要があると判定するとき、セカンダリ基地局はデータ転送確認メッセージをプライマリ基地局に送信する。当該データ転送確認メッセージは、データ転送をプライマリ基地局に要求するために使用され、ダウンリンク転送を実施するようにプライマリ基地局に指示する情報および／またはセカンダリ基地局のアップリンク汎用パケット無線サービス・トンネリング・プロトコルＧＴＰエンドポイント情報を含む。
【００９２】
例えば、データ転送問合せコマンドを受信した後、セカンダリ基地局は、ターゲット基地局に転送する必要があるアップリンク・データおよびダウンリンク・データがあるかどうかを判定する。判定の基準が、一時的に格納されたアップリンク・データおよびダウンリンク・データがあるかどうか、ＵＥによって確認されていないダウンリンクＰＤＣＰサービス・データユニット（ｓｅｒｖｉｃｅ  ｄａｔａ  ｕｎｉｔ、略してＳＤＵ）があるかどうか、および、正しく補正されていないアップリンクＰＤＣＰ  ＳＤＵがあるかどうかのうち少なくとも１つであってもよい。セカンダリ基地局がダウンリンクデータの転送を提案すると決定した場合には、提案されたダウンリンクデータの転送の命令をプライマリ基地局に対して含める。セカンダリ基地局がアップリンクデータの転送を提案すると決定した場合には、アップリンクＧＴＰエンドポイントがプライマリ基地局に送信される。
【００９３】
Ｓ８０３では、プライマリ基地局がハンドオーバ要求メッセージをターゲット基地局に送信する。
【００９４】
ダウンリンク転送を実施するようにプライマリ基地局に指示する情報および／またはプライマリ基地局によって受信されたセカンダリ基地局のアップリンク汎用パケット無線サービス・トンネリング・プロトコルＧＴＰエンドポイント情報をハンドオーバ要求メッセージでターゲット基地局に送信してもよい。
【００９５】
場合によっては、プライマリ基地局がハンドオーバ要求メッセージを送信するときに、無線ベアラとセカンダリ基地局の対応をターゲット基地局に運搬してもよい。当該対応を、無線ベアラまたは幾つかの無線ベアラがセカンダリ基地局に属することを示すために、リストまたはビットマップの形で表してもよく、特に、当該対応が、セカンダリ基地局の識別子および無線ベアラの識別子の結合関係またはマッピング関係を含んでもよい。
【００９６】
Ｓ８０４では、プライマリ基地局が、ターゲット基地局が送信したハンドオーバ確認メッセージを受信する。
【００９７】
Ｓ８０５では、セカンダリ基地局がデータをプライマリ基地局に転送するように、プライマリ基地局が基地局ハンドオーバ・コマンドをセカンダリ基地局に送信して、アップリンク・データとダウンリンク・データの送信を停止しデータ転送を実施するようにセカンダリ基地局に指示する。
【００９８】
例えば、プライマリ基地局をハンドオーバ要求確認メッセージをターゲット基地局から受信し、当該基地局ハンドオーバ・コマンドをセカンダリ基地局に送信する。当該メッセージは、セカンダリ基地局によって保持されるデータ転送のアップリンクとダウンリンクＧＴＰエンドポイントを含む。当該コマンドは、データ転送を開始する命令とプライマリ基地局のＧＴＰエンドポイント情報を含んでもよい。データ転送を開始する命令を受信した後、セカンダリ基地局がアップリンク・データとダウンリンク・データの送信またはスケジューリングを停止してもよい。
【００９９】
Ｓ８０６では、プライマリ基地局が第２のメッセージをユーザ機器に送信する。当該第２のメッセージは無線ベアラハンドオーバを実施するようにユーザ機器に指示するために使用される。
【０１００】
例えば、プライマリ基地局がハンドオーバ・コマンドをユーザ機器に送信する。当該コマンドが無線リソース制御接続再構成メッセージ（ＲＲＣ  Ｃｏｎｎｅｃｔｉｏｎ  Ｒｅｃｏｎｆｉｇｕｒａｔｉｏｎ）であってもよい。当該メッセージは、無線ベアラをセカンダリ基地局からターゲット基地局にハンドオーバする命令を含んでもよい。当該ハンドオーバ・コマンドを受信した後、ユーザ機器は、ターゲット基地局のプロトコル・スタックに対応するプロトコル・スタックにおける当該無線ベアラに対する新たなＰＤＣＰ層を確立し、セカンダリ基地局のプロトコル・スタックに対応するプロトコル・スタックにおける当該ベアラのＰＤＣＰ再順序付けバッファの中の無秩序なＰＤＣＰ  ＳＤＵを新たに確立したＰＤＣＰ層に転送する。転送が完了した後、ユーザ機器はセカンダリ基地局のプロトコル・スタックに対応するＰＤＣＰ層を解放することができる。
【０１０１】
ユーザ機器が無線アクセス・ベアラ・ハンドオーバ命令を受信した後に実施される具体的な内部動作については上述の図６を参照してもよく、詳細はここでは再び説明することはしない。
【０１０２】
Ｓ８０７では、ターゲット基地局がプライマリ基地局によって送信されたＳＮステータス転送情報を受信する。本発明の当該実施形態では、データ転送ターゲットとしてのプライマリ基地局がターゲット基地局にハンドオーバされ、したがって、セカンダリ基地局によって送信されたＳＮステータス転送情報がプライマリ基地局に送信され、プライマリ基地局によってターゲット基地局に転送される。
【０１０３】
当該実施形態では、セカンダリ基地局は、ＳＮ  Ｓｔａｔｕｓ  Ｔｒａｎｓｆｅｒメッセージでプライマリ基地局に対して、ベアラがデータを転送するために使用されるシーケンス番号リストを示す。当該リストは、再送する必要がないアップリンクデータ・パケットをターゲット基地局がユーザ端末に前もって通知することを支援し、または、無線インタフェースを用いることによって再送する必要があるダウンリンクパケットをターゲット端末が決定するのを支援する。データ転送ＧＴＰトンネルがＧＴＰエンドポイント情報に従って確立され、プライマリ基地局が、ユーザ端末が確認していない受信した順不同のアップリンクＰＤＣＰ  ＳＤＵおよび／またはダウンリンクＰＤＣＰ  ＳＤＵをターゲット基地局に転送する。
【０１０４】
場合によっては、ハンドオーバ要求メッセージを受信した後、かつ、セカンダリ基地局のベアラのデータを転送することに同意したとき、ターゲット基地局はセカンダリ基地局のベアラに対応するＳＮステータス問合せコマンドを送信する。プライマリ基地局によって送信されたデータ転送確認メッセージを受信した後、セカンダリ基地局が、ＳＮ  Ｓｔａｔｕｓ  Ｔｒａｎｓｆｅｒメッセージでターゲット基地局に、ベアラがデータを転送するために使用されるシーケンス番号リストを示す。
【０１０５】
当該実施形態では、プライマリ基地局がＳＮステータス転送情報をターゲット基地局に送信した後、セカンダリ基地局がデータをプライマリ基地局に転送し、プライマリ基地局が続いてデータをターゲット基地局に転送し、データ転送プロセスを完了する。
【０１０６】
Ｓ８０８では、ターゲット基地局が経路切替要求を可動性管理エンティティＭＭＥに送信する。
【０１０７】
無線アクセス・ベアラ・ハンドオーバ命令を当該メッセージに追加してもよく、当該ＭＭＥが当該命令をシグナリング・ゲートウェイＳ−ＧＷに転送する。当該命令を受信した後、ＭＭＥとＳ−ＧＷが対応する無線アクセス・ベアラに対してのみ経路切換えを実施し、他の無線アクセス・ベアラは影響を受けない。例えば、当該他の無線アクセス・ベアラはＭＭＥとプライマリ基地局の間のＳ１接続を解放しない。
【０１０８】
Ｓ８０９では、ターゲット基地局が、当該ＭＭＥが送信した経路切替確認情報を受信し、データ転送を完了する。
【０１０９】
かかるデータ転送方法は、基地局間のセルに対するキャリア集約の場合に起動／停止が発生したかまたはハンドオーバが発生したときのデータ転送に適用可能である。これにより当該起動／停止が生じるかまたはハンドオーバが発生したときのデータ損失が回避される、したがって、基地局間のセルに対するキャリア集約における正確かつ連続的なデータ送信が実現され、データ送信における遅延が減少する。
【０１１０】
本発明の１実施形態で提供するデータ転送方法を図９に示す。当該実施形態では、プライマリ基地局が変更されており（プライマリ基地局がターゲット基地局にハンドオーバされている）、一方で、プライマリ基地局がセカンダリ基地局に変更を要求し、データ転送のアンカーをセカンダリ基地局に配置する。
【０１１１】
当該実施形態の諸ステップは一般に（データ転送のアンカーがプライマリ基地局に配置される）以前の実施形態のステップと同じであり、違いは以下の２つの点である。
【０１１２】
Ｓ８０５’では、プライマリ基地局はデータ転送開始メッセージをセカンダリ基地局に送信する。当該メッセージはターゲット基地局のＧＴＰエンドポイント情報を含む。当該メッセージを受信した後、セカンダリ基地局はアップリンク・データとダウンリンク・データの送信またはスケジューリングを停止すべきである。
【０１１３】
Ｓ８０７’では、セカンダリ基地局は、ＳＮ  Ｓｔａｔｕｓ  Ｔｒａｎｓｆｅｒメッセージでターゲット基地局に、ベアラがデータを転送するために使用されるシーケンス番号リストを示す。セカンダリ基地局がＧＴＰエンドポイント情報に従ってデータ転送ＧＴＰトンネルを確立し、セカンダリ基地局が、ターゲット基地局に、ユーザ機器が確認しなかった受信した順不同のアップリンクＰＤＣＰ  ＳＤＵおよび／またはダウンリンクＰＤＣＰ  ＳＤＵを転送する。
【０１１４】
かかるデータ転送方法は、基地局間のセルに対するキャリア集約の場合に起動／停止が発生したかまたはハンドオーバが発生したときのデータ転送に適用可能である。これにより当該起動／停止が生じるかまたはハンドオーバが発生したときのデータ損失が回避される。したがって、基地局間のセルに対するキャリア集約における正確かつ連続的なデータ送信が実現され、データ送信における遅延が減少する。
【０１１５】
図１０に示すように、当該実施形態ではさらにデータ転送方法を提供する。プライマリ基地局がハンドオーバされているが、セカンダリ基地局は不変のままである。当該方法は以下を含む。
【０１１６】
Ｓ１００１では、プライマリ基地局が第１のメッセージをターゲット基地局に送信する。当該第１のメッセージはハンドオーバを要求するために使用され、当該第１のメッセージは、セカンダリ基地局の識別子と、ハンドオーバの後にセカンダリ基地局が不変のままであるように指示する命令を含む。即ち、プライマリ基地局上のベアラのみがターゲット基地局にハンドオーバされ、セカンダリ基地局はハンドオーバされず、セカンダリ基地局は、ハンドオーバが成功した後に、ターゲット基地局の制御下で元のベアラを送信し続ける。
【０１１７】
場合によっては、プライマリ基地局が、ターゲット基地局が送信したハンドオーバ確認メッセージを受信する。
【０１１８】
Ｓ１００２ではプライマリ基地局がハンドオーバ命令をセカンダリ基地局に送信する。
【０１１９】
例えば、ハンドオーバ要求確認メッセージを受信した後、プライマリ基地局が当該ハンドオーバ命令をセカンダリ基地局に送信して、ハンドオーバが開始することをセカンダリ基地局に通知し、アップリンク・データとダウンリンク・データの送信を停止するようにセカンダリ基地局に指示する。
【０１２０】
Ｓ１００３では、プライマリ基地局が第２のメッセージをユーザ機器に送信する。
【０１２１】
例えば、ハンドオーバ・コマンドが、セカンダリ基地局が不変のままであるように指示する命令を保持してもよく、ユーザ機器が当該命令を受信した後にセカンダリ基地局上のベアラが維持される。ユーザ機器の具体的な内部動作については、上述の図６を参照してもよく、詳細はここでは再び説明することはしない。
【０１２２】
例えば、当該第２のメッセージがハンドオーバ・コマンドであってもよい。当該ハンドオーバ・コマンドは、セカンダリ基地局が不変のままであるように指示する命令を保持してもよく、ユーザ機器が当該命令を受信した後にセカンダリ基地局上のベアラが維持される。
【０１２３】
Ｓ１００４では、ターゲット基地局が、プライマリ基地局によって送信されたＳＮステータス転送情報を受信する。
【０１２４】
Ｓ１００５では、ターゲット基地局が起動コマンドをセカンダリ基地局に送信する。
【０１２５】
例えば、ハンドオーバ完了メッセージを受信した後、ターゲット基地局が起動コマンドをセカンダリ基地局に送信する。当該コマンドを受信した後、セカンダリ基地局はアップリンク・データとダウンリンク・データの送信を開始する。
【０１２６】
Ｓ１００６では、セカンダリ基地局が経路切替要求を可動性管理エンティティＭＭＥに送信する。
【０１２７】
Ｓ１００７では、セカンダリ基地局が、当該ＭＭＥが送信した経路切替確認情報を受信し、データ転送を完了する。
【０１２８】
かかるデータ転送方法は基地局間のセルに対するキャリア集約の場合に起動／停止が生じたときのデータ転送に適用可能であり、これにより当該起動／停止が生じたときのデータ損失が回避される。したがって、基地局間のセルに対するキャリア集約における正確かつ連続的なデータ送信が実現され、データ送信における遅延が減少する。
【０１２９】
本発明の１実施形態で提供する基地局１１は上述の方法の実施形態に対応し、プライマリ基地局として、上述の方法の実施形態におけるステップの全てにおいて使用してもよい。基地局１１に対応する詳細な方法のステップは上述の方法の実施形態で説明されており、ここで再び詳細に説明することはしない。図１１に示すように、基地局１１は、第１のメッセージをセカンダリ基地局に送信するように構成された送信器１１１であって、当該第１のメッセージは、ハンドオーバを実施するようにセカンダリ基地局に指示するために使用され、当該第１のメッセージはターゲット基地局の識別子を含む送信器１１１と、セカンダリ基地局がデータをターゲット基地局に転送したことを確認するように構成されたプロセッサ１１２とを備える。送信器１１１はさらに、第２のメッセージをユーザ機器に送信するように構成され、当該第２のメッセージは、ターゲット基地局からデータを取得するようにユーザ機器に指示するために使用される。
【０１３０】
さらに、当該第１のメッセージがさらに無線ベアラの識別子を備えてもよい。当該第１のメッセージは当該無線ベアラの識別子に従って当該無線ベアラ上でターゲット基地局にハンドオーバするようにセカンダリ基地局に指示するために使用される。
【０１３１】
図１２に示すように、基地局１１がさらに、セカンダリ基地局によって送信されたデータ転送要求メッセージを受信するように構成された受信器１１３であって、当該データ転送要求メッセージはプライマリ基地局にデータ転送を要求するために使用される受信器１１３を備えてもよい。当該データ転送要求メッセージは、ダウンリンク転送を実施するようにプライマリ基地局に指示する情報、および、アップリンク・データ転送を実施するためのセカンダリ基地局のアップリンク汎用パケット無線サービス・トンネリング・プロトコルＧＴＰエンドポイント情報のうち少なくとも１つを含んでもよい。
【０１３２】
さらに、送信器１１１をさらに、データ転送確認メッセージをセカンダリ基地局に送信するように構成してもよい。当該データ転送確認メッセージはプライマリ基地局のＧＴＰエンドポイント情報を含む。
【０１３３】
プロセッサ１１２をさらに、セカンダリ基地局が無線アクセス・ベアラの一部でハンドオーバを実施したと判定するように構成してもよく、送信器１１１をさらに、セカンダリ基地局が当該無線アクセス・ベアラの一部をターゲット基地局にハンドオーバするように、無線アクセス・ベアラ・ハンドオーバメッセージをセカンダリ基地局に送信するように構成してもよい。当該無線アクセス・ベアラ・ハンドオーバ・メッセージは当該無線アクセス・ベアラの一部の識別子を含む。
【０１３４】
あるいは、プロセッサ１１２をさらに、セカンダリ基地局が全ての無線アクセス・ベアラでハンドオーバを実施したと判定するように構成してもよく、送信器１１１をさらに、セカンダリ基地局が当該無線アクセス・ベアラの全てでターゲット基地局にハンドオーバするように、セカンダリ基地局ハンドオーバ・コマンドをセカンダリ基地局に送信するように構成してもよい。
【０１３５】
セカンダリ基地局の信号品質が事前設定閾値より小さいことを基地局が確認したとき、または、当該基地局がセカンダリ基地局によって送信された無線アクセス・ベアラ・ハンドオーバ要求を受信したとき、または、ユーザ機器とセカンダリ基地局の間の無線リンク接続が失敗したことを当該基地局が確認したときのうち何れか１つの場合に、送信器１１１が第１のメッセージをセカンダリ基地局に送信することに留意されたい。
【０１３６】
上述の基地局を用いることにより、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【０１３７】
本発明の１実施形態で提供する基地局１３は上述の方法の実施形態に対応し、セカンダリ基地局として、上述の方法の実施形態におけるステップの全てにおいて使用してもよい。基地局１３に対応する詳細な方法のステップは上述の方法の実施形態で説明されており、ここで再び詳細に説明することはしない。図１３に示すように、基地局１３は、プライマリ基地局によって送信された第１のメッセージを受信するするように構成された受信器１３１であって、当該第１のメッセージはハンドオーバを実施するように当該基地局に指示するために使用され、当該第１のメッセージはターゲット基地局の識別子を含む受信器１３１と、第２のメッセージをプライマリ基地局に転送するするように構成された送信器１３２であって、当該第２のメッセージは、ターゲット基地局からデータを取得するようにユーザ機器に指示するためにプライマリ基地局によって使用される送信器１３２とを備える。受信器１３１はさらに、ターゲット基地局によって送信されたデータ転送確認メッセージを受信するするように構成され、当該データ転送確認メッセージは当該基地局がデータをターゲット基地局に転送したことを確認するために使用される。
【０１３８】
上述の基地局を用いることにより、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【０１３９】
さらに、図１４に示すように、基地局１３がさらに、アップリンク・データとダウンリンク・データの送信を停止するように構成されたプロセッサ１３３を備えてもよい。
【０１４０】
送信器１３２をさらにデータ転送要求メッセージをターゲット基地局に送信するように構成してもよく、当該データ転送要求メッセージはターゲット基地局にデータ転送を要求するために使用される。当該データ転送要求メッセージは、ダウンリンク転送を実施するようにターゲット基地局に指示する情報、および、アップリンク・データ転送を実施するための当該基地局のアップリンク汎用パケット無線サービス・トンネリング・プロトコルＧＴＰエンドポイント情報のうち少なくとも１つを含んでもよい。
【０１４１】
当該データ転送確認メッセージはターゲット基地局のＧＴＰエンドポイント情報を含んでもよい。
【０１４２】
さらに、基地局が無線アクセス・ベアラの一部でハンドオーバを実施したとプライマリ基地局が判定したとき、受信器１３１をさらに、プライマリ基地局によって送信された無線アクセス・ベアラ・ハンドオーバメッセージを受信するように構成してもよく、プロセッサ１３３をさらに、当該無線アクセス・ベアラの一部でターゲット基地局にハンドオーバするように構成してもよく、当該無線アクセス・ベアラ・ハンドオーバ・メッセージは当該無線アクセス・ベアラの一部の識別子を含んでもよい。
【０１４３】
あるいは、基地局が全ての無線アクセス・ベアラでハンドオーバを実施したとプライマリ基地局が判定したとき、受信器１３１をさらに、プライマリ基地局によって送信されたセカンダリ基地局ハンドオーバ・コマンドを受信するように構成してもよく、プロセッサ１３３をさらに、当該無線アクセス・ベアラの全てをターゲット基地局にハンドオーバするように構成してもよい。
【０１４４】
プライマリ基地局とターゲット基地局が同一の基地局であってもよいことに留意されたい。
【０１４５】
上述の基地局を用いることにより、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【０１４６】
本発明の１実施形態で提供する基地局１５は上述の方法の実施形態に対応し、ターゲット基地局として、上述の方法の実施形態におけるステップの全てにおいて使用してもよい。基地局１５に対応する詳細な方法のステップは上述の方法の実施形態で説明されており、ここで再び詳細に説明することはしない。図１５に示すように、基地局１５は、セカンダリ基地局によって送信されたＳＮステータス転送情報を受信するように構成されたＳＮ情報受信ユニット１５１と、経路切替要求を可動性管理エンティティＭＭＥに送信するように構成されたハンドオーバ要求送信ユニット１５２と、当該ＭＭＥが送信した経路切替確認情報を受信してデータ転送を完了するように構成されたハンドオーバ確認受信ユニット１５３と、を備える。
【０１４７】
上述の基地局を用いることにより、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【０１４８】
本発明の１実施形態で提供するユーザ機器１６は上述の方法の実施形態に対応し、上述の方法の実施形態におけるステップの全てにおいて使用してもよい。ユーザ機器１６に対応する詳細な方法のステップは上述の方法の実施形態で説明されており、ここで再び詳細に説明することはしない。図１６に示すように、ユーザ機器１６は、プライマリ基地局によって送信された第２のメッセージを受信するように構成された受信ユニット１６１であって、当該第２のメッセージはターゲット基地局からデータを取得するようにユーザ機器に指示するために使用される受信ユニット１６１と、当該第２のメッセージに従ってターゲット基地局のプロトコル・エンティティを確立するように構成されたプロトコル・エンティティ確立ユニット１６２と、セカンダリ基地局のプロトコル・エンティティに一時的に格納されたデータをターゲット基地局の当該プロトコル・エンティティに転送するするように構成された転送ユニット１６３とを備える。
【０１４９】
上述のユーザ機器を用いることによって、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【０１５０】
本発明の１実施形態ではさらに、上述のプライマリ基地局およびセカンダリ基地局を備えた通信システムを提供する。
【０１５１】
本発明の当該実施形態で提供する通信システムがさらに少なくとも１つのユーザ機器を備えてもよい。当該基地局およびユーザ機器の構造は上述の実施形態で詳細に説明されており、詳細はここでは再び説明することはしない。
【０１５２】
上述のデータ転送システムを用いることによって、基地局の間のシームレスなハンドオーバを基地局間のセルに対するキャリア集約の場合に実施することができる。これにより、基地局間のセルに対するキャリア集約のケースでハンドオーバが生じるときのデータ損失が回避され、したがって、基地局間のセルに対するキャリア集約における正確かつ連続的なデータ送信が実現され、データ送信における遅延が減少する。
【０１５３】
方法の実施形態の諸ステップの全部または一部を、関連するハードウェアに指示するプログラムによって実現してもよいことは当業者に理解される。当該プログラムをコンピュータ可読記憶媒体に格納してもよい。当該プログラムを実行したとき、方法の実施形態の諸ステップが実施される。上述の記憶媒体には、ＲＯＭ、ＲＡＭ、磁気ディスク、または光ディスクのような、プログラム・コードを格納できる任意の媒体が含まれる。
【０１５４】
以上の説明は本発明の具体的な実装形態であり、本発明の保護範囲を限定しようとするものではない。本発明で開示した技術的範囲において当業者が容易に想到する任意の変形または置換は本発明の保護範囲に入る。したがって、本発明の保護範囲は諸請求項の保護範囲の支配を受ける。
【符号の説明】
【０１５５】
１１  基地局
１１１  送信器
１１２  プロセッサ
１１３  受信器
１３  基地局
１３１  受信器
１３２  送信器
１３３  プロセッサ
１５  基地局
１５１  ＳＮ情報受信ユニット
１５２  ハンドオーバ要求送信ユニット
１５３  ハンドオーバ確認受信ユニット
１６  ユーザ機器
１６１  受信ユニット
１６２  プロトコル・エンティティ確立ユニット
１６３  転送ユニット
【図１】
0005920801.tif 000002
【図２】
0005920801.tif 000003
【図３】
0005920801.tif 000004
【図４】
0005920801.tif 000005
【図５】
0005920801.tif 000006
【図６】
0005920801.tif 000007
【図７】
0005920801.tif 000008
【図８】
0005920801.tif 000009
【図９】
0005920801.tif 000010
【図１０】
0005920801.tif 000011
【図１１】
0005920801.tif 000012
【図１２】
0005920801.tif 000013
【図１３】
0005920801.tif 000014
【図１４】
0005920801.tif 000015
【図１５】
0005920801.tif 000016
【図１６】
0005920801.tif 000017